(57)【要約】【課題】  ゴルフ場やゴルフ練習場、又はテニスコート場内や卓球場内、或いはゲートボール場内や野球場内等では使用する各種のボールが飛散している。  これら飛散しているボール等を回収するには色んな器具が提案されているが、構造が複雑でコスト高であって補修し難い等の問題があった。  そこで、本発明では構造が簡単でコストが安く、補修が容易で、更に、各種球の材質、重さ、大きさ等に適合した器具に変更、改良可能な球形物を拾い挙げ具、更に収納出来る器具を提供する【解決手段】  本発明は、ボール等の球形物の外形より僅かに狭い開口部を形成するように数本の弾性体を枠体部に張設して、前記開口部から球形物が前記弾性体を拡げて枠体部内に緩挿されるように構成し、緩挿された前記球形物を収納する収納部と、該収納部に操作桿を取り付けたことを特徴とした球形物拾い挙げ具である。【選択図】  図１
2005152568.tif 000002
【特許請求の範囲】
【請求項１】
ボール等の球形物の外形より僅かに狭い開口部を形成するように数本の弾性体を枠体部に張設して、該開口部から球形物が前記弾性体を拡げて枠体部を緩挿されるようにし、緩挿された球形物を収納する収納部とを設けたことを特徴とした球形物拾い挙げ具。
【請求項２】
ボール等の球形物を数個収納する収納部が筒体であって、該筒体の下部に枠体部を設け、該枠体部に数本の弾性体が帳設させて開口部が形成され、前記筒体に操作桿が取り付けられていることを特徴とした請求項１記載の球形物拾い挙げ具。
【請求項３】
ボール等の球形物を数個収納する収納部が回転体であって、該回転体の胴部に枠体部を設け、該枠体部に数本の弾性体が帳設させて開口部が形成され、前記回転体に操作桿が取り付けられていることを特徴とした請求項１記載の球形物拾い挙げ具。
【請求項４】
ゴム又は鋼製巻バネのような弾性体であることを特徴とした請求項１乃至３記載の球形物拾い挙げ具。
【発明の詳細な説明】
【技術分野】
【０００１】  本発明は、ゴルフボール、テニスボール、ゲートボールや野球ボール又はパチンコ玉のような球形物を拾い挙げる器具に関するものである。
【背景技術】
【０００２】  ゴルフ場やゴルフ練習場、又はテニスコート場内や卓球場内、或いはゲートボール場内や野球場内、パチンコ場内等では各種のボールが使用され、また、場内に飛散している。
これら飛散しているボールを回収する器具には、吸盤で吸い上げるものや、弾性体から成る筒に押し入れる器具、回転筒に数個の円盤を装着して該円盤の間にボール等を挟み込んで回収する自走車等が提案されている。
平成１３年には本発明者も弾性体からなる弁体を利用した球拾い兼収納器具を発明し、球を傷つけることなく、しかも、膝や腰等に負担がかからない器具を提案した。
【特許文献１】  特開２００３−３０５１４１号公報  特開２００３−９３５４７号公報
【発明の開示】
【発明が解決しようとする課題】
【０００３】  しかしながら、提案されている器具は、構造が複雑でコスト高になり且つ補修し難い等の問題があって、現実には足腰に負担をかけながら一個一個手で拾っている。
そこで、構造が簡単でコストが安く、補修が容易で、更に、各種球の材質、重さ、大きさ等に適合した器具に変更可能な球形物を拾い挙げ具、更に収納出来る器具を提供する。
【課題を解決するための手段】
【０００４】  請求項１記載の本発明は、ボール等の球形物の外形より僅かに狭い開口部を形成するように数本の弾性体を枠体部に張設して、前記開口部から球形物が前記弾性体を拡げて枠体部内に緩挿されるようにし、緩挿された前記球形物を収納する収納部とを設けたことを特徴としたボール等の球形物拾い挙げ具である。
本発明の作用は、図３に示す如く、床等に飛散している球形物の上に、枠体部の開口部を載せ（図３のａ）押し付けると、その押圧によって、弾性体が球面に沿って拡がり（図３のｂ）、次に、球面に沿って縮小（図３のｃ）することによって球形物が枠体部内に緩挿（通り抜けること。）され、収納部内に収納される。【０００５】    請求項２記載の発明は、前記記載の収納部を筒体にして、該筒体の下部に枠体部を設け、該枠体部に数本の弾性体が帳設させて開口部を形成したボール等の球体物拾い挙げ具である。尚、本器具は手持ちが主体であるので、操作が容易なように操作桿を取り付けた。
本発明でいう筒体の下部に枠体部を設けるとは、筒体の下部に直接弾性体を帳設することや、又は、予め弾性体を帳設した枠体を筒の下部に取り付けることをいう。
このとき、枠体を取り外し可能なようにすると球種変更や補修等に便利である。【０００６】  請求項３記載の発明は、前記記載の収納部を回転体にして、該回転体の胴部に枠体部を設け、該枠体部に数本の弾性体が帳設させて開口部を形成したボール等の球形物拾い挙げ具である。
この種の器具は、図２に示すように、回転体（ドラム状）の胴面に多くの開口部を弾性体で形成し、球形物が飛散している床面を該回転体（ドラム状）を回転させながら移動することによって開口部から筒内に球形物を緩挿させ球形物を拾い挙げる器具である。
従って、胴体は回転や球の重み等に耐えられ、且つ、弾性体を帳設する枠体として中空円板が必要とする場合もあるし、筒内に収納された球形物を取り出す取出口を側面に設ける必要がある。
本器具は、操作桿を取り付けて手で持ちながら使用してもよいし、大型にして自走車に操作桿等を連結して使用することも可能である。【０００７】  本発明で使用する弾性体には、ゴム、繊維とゴムと撚り紐、鋼製巻バネ等が考えられるが、使用に当たっての条件は
（１）  弾性体のバネ性（バネ力）と強度。
弾性体を帳設して成形した開口部から球が緩挿（緩やかに通り抜け筒内に入り込むことを言う。）して筒内に入れ込ませるには、図３に示すように筒を押し付け押圧によって、弾性体が球の曲面に沿って拡がり、次の瞬間に、球の曲面に沿って開口部が収縮して球が筒内に入り込ませるバネ性（拡縮力）がなくてはならない。しかも、筒内に入り込んだ球の重量によって開口部が拡がり、逆に筒から出ないようなバネ性（引張力）と強度とが必要である。
（２）  弾性体の耐久性。
耐久性は本器具の使用頻度や使用場所、球形物の材質や重量、大きさ等によって左右されるので、これらの条件を考慮して材質を選択しなければならない。
ゴルフ練習場等は鋼製の巻線バネが適している。卓球のような軽いピンポン玉等はゴム製の帯体でもよい。又、パチンコ玉のように小さい球は細径でしかも強度のある物が必要となろう。【０００８】  球形物を緩挿さす開口部の形状は弾性体を枠体部に帳設して形成するが、その形状を図４で例示するように、弾性体を平行に２本帳設したものや、三角形、四角形、菱形、円形等に帳設することが考えられる。  又、これらの形状をしたネットでもよい。
この形状は球形体の大きさ、重さ、及び収納部の形状、大きさ、更には、回転体か否かによって選択される。【０００９】  弾性体を枠体部に取り付ける方法には種々あるが、弾性体が摩耗して切断される時があるので、容易に張り替えが可能のように取り付けるとよい。
経験上からは、ビス（ネジ）止めが最適である。
【発明の効果】
【００１０】  従来のボール回収器具は、構造が複雑でコスト高になり且つ補修し難い等の問題があり、更に、ゴルフボールのみを主体にした器具であったが、
本発明では構造が簡単でコストが安く、補修が容易で、しかも、各種球の材質、重さ、大きさ等に適合した器具に変更、改良が可能な拾い挙げ収納器具である。
これを、使用することによって、足腰に負担を掛けることなく容易にボール拾いができ、しかも、ボール等に傷を付けることもなくなった。
【発明を実施するための最良の形態】
【００１１】      本発明の第一実施例を図１に示す。
ゴルフボール（１）を収納する収納部を透明な樹脂製筒（２）にし、該筒の下部に枠体部（３）を設け、該枠体部（３）に数本のゴム製弾性体（４）が帳設させて四角形の開口部を形成した。  本枠体部は取り外し可能なように、筒（２）と同形状した紙管（筒）の枠体を該筒（２）に嵌挿した。
筒（２）には操作桿（５）として取っ手を取り付け、飛散しているボール等の上に該筒を載せ、押し付けることによってボールを筒内に緩挿させ、一個一個ボールを拾い挙げます。
この取っ手を伸縮可能にすれと深い池等に落ちたボールを拾い挙げるのに便利です。
尚、本実施例では枠体部を、予め製作した枠体を使用したが、筒自体に弾性体を張設してもよい。【００１２】  本発明の第二実施例を図２に示す。
図示のように回転体（２ａ）を円板（６）と中間に中空円板（６ａ）と軸（７）及び軸を中空円板（６ａ）とを連結する芯棒（８）とで構成し、該円板と中空円板の外周面を枠体部（３）とし鋼製巻バネ（４ａ）をネット状に帳設した。
更に、軸端部に操作桿（５）を取り付け、  円板（６）の側面に球体物を取り出す取出口（９）を設けた。
本実施例の器具は回転させながら移動できるので、持ち運びに負担がかからない利点がある。
しかし、回転体に使用する弾性体は摩耗し易いので耐摩耗性のある弾性体がよい。
【産業上の利用可能性】
【００１３】    球形物以外に頭部が円形又は多角形をしたビスやナット等、又は、卵のような楕円形体にも利用の可能性がある。
【図面の簡単な説明】
【００１４】
【図１】    本発明の第一実施例を示す斜視図である。
【図２】    本発明の第二実施例を示す斜視図である。
【図３】    本発明の弾性体と球形物と動きを示す。
【図４】    開口部の形状を例示する。
【符号の説明】
【００１５】    １      ボール
２      筒
２ａ    回転体
３      枠体部
４      ゴム性弾性体
４ａ    鋼製巻バネ弾性体
５      操作桿
６      円板
６ａ    中空円板
７      軸
８      芯棒
９      取出口
【図１】
2005152568.tif 000003
【図２】
2005152568.tif 000004
【図３】
2005152568.tif 000005
【図４】
2005152568.tif 000006